(57)【要約】      （修正有）【課題】用紙の反りによる損傷を避けられるオフセット用紙ピックアップ装置を提供する。【解決手段】給紙トレイ１１から用紙を給紙する給紙ユニット２０と、給紙ユニットに対向して接触するように設けられる用紙分離ローラ３０と、給紙トレイと給紙ユニットとの間に設けられ、用紙の通過を規制するストップ位置と用紙を給紙経路に通過させる給紙位置との間で移動可能に切り替わるように設けられる用紙ストッパーアーム４０と、摺動構造を介して給紙経路の上側に位置する上壁に設けられ、かつ、用紙ガイド部と用紙ガイド部の給紙方向における上流寄りの端から延長する持ち上げ部とを含み、摺動構造によって、給紙ユニットと用紙分離ローラとの間に形成される隙間空間２１に移動可能に設けられる用紙ガイド部材５０とを含み、用紙分離ローラから用紙ガイド部と持ち上げ部との交点までの仮想円の半径は、用紙分離ローラの輪径より大きい。【選択図】図５Ａ
0003225460.tif 000002
【実用新案登録請求の範囲】
【請求項１】
給紙経路に設けられるオフセット用紙ピックアップ装置であって、
給紙トレイから用紙を給紙する給紙ユニットと、
前記給紙ユニットに対向して接触するように設けられる用紙分離ローラと、
前記給紙トレイと前記給紙ユニットとの間に設けられ、用紙の通過を規制するストップ位置と用紙を前記給紙経路に通過させる給紙位置との間で移動可能に切り替わるように設けられる用紙ストッパーアームと、
摺動構造を介して前記給紙経路の上側に位置する上壁に設けられ、かつ、用紙ガイド部と前記用紙ガイド部の給紙方向における上流寄りの端から延長する持ち上げ部とを含み、前記摺動構造によって、前記給紙ユニットと前記用紙分離ローラとの間に形成される隙間空間に移動可能に設けられる用紙ガイド部材と、
を含み、
前記用紙分離ローラから前記用紙ガイド部と前記持ち上げ部との交点までの仮想円の半径は、前記用紙分離ローラの輪径より大きく、
給紙待ち用紙と前記用紙ガイド部との垂直距離は、給紙待ち用紙と前記用紙分離ローラとの垂直距離より大きい、
ことを特徴とする、オフセット用紙ピックアップ装置。
【請求項２】
前記持ち上げ部は、前記用紙ストッパーアームの給紙方向における下流側に位置することを特徴とする、請求項１に記載のオフセット用紙ピックアップ装置。
【請求項３】
前記用紙ガイド部材は、前記持ち上げ部の給紙方向における上流寄りの端から延長するストップ部を含むことを特徴とする、請求項１に記載のオフセット用紙ピックアップ装置。
【請求項４】
前記ストップ部は、給紙方向における上流寄りの先端に位置する頂点を含み、
前記頂点と給紙待ち用紙との垂直距離は、前記用紙ストッパーアームの底端と給紙待ち用紙との垂直距離より大きい、
ことを特徴とする、請求項３に記載のオフセット用紙ピックアップ装置。
【請求項５】
前記用紙分離ローラの軸方向から見る場合、
前記用紙ガイド部と前記給紙経路とがなす角度は、前記持ち上げ部と前記給紙経路とがなす角度より小さく、
前記持ち上げ部と前記給紙経路とがなす角度は、前記ストップ部と前記給紙経路とがなす角度より小さい、
ことを特徴とする、請求項３に記載のオフセット用紙ピックアップ装置。
【考案の詳細な説明】
【技術分野】
【０００１】
本考案は、オフセット用紙ピックアップ装置に関し、特に、用紙の反りによる損傷を避けられる用紙ピックアップ装置に関する。
【背景技術】
【０００２】
図１に示すように、用紙ピックアップ部材は、自動給紙装置の入口に設けられ、かつ重ねた用紙を分けて１枚ずつに送るための構造である。重なった用紙を給紙することを避けるために、用紙ピックアップ部材は、給紙経路と、用紙ピックアップ装置２０’と、１組となる用紙分離装置３０’と、前記用紙ピックアップ装置２０’と前記用紙分離装置３０’との間に設けられる用紙ストッパー装置４０’とを含む。そのうち、前記用紙ストッパー装置４０’は、用紙が給紙経路に入らないように前記用紙ピックアップ装置２０’と前記給紙経路との間に設置される。前記用紙ピックアップ装置２０’は、用紙束と接触して用紙を前記給紙経路に送る。前記用紙分離装置３０’は、給紙した用紙に摩擦力をかけ、重複して送られてきた用紙の通過を規制する。
【０００３】
しかしながら、用紙を分離する時に、用紙は反りによって損傷を受ける場合が多い。以下、よく見られる用紙反りの状況をそれぞれ図２〜図４に示す。
【０００４】
図２に示すように、下層の用紙を給紙経路に送る時に、上層の用紙が下層の用紙に支持されなくなって自由落下となるため、用紙の前端にわずかな反りが生じてしまう。
【０００５】
図３に示すように、用紙分離の効果を向上させるために、前記用紙分離装置３０’は、用紙を給紙トレイに戻させるような方向に回転する。そのため、用紙における前記用紙分離装置３０’に接触する一端は、用紙分離ローラに引っかかって反りやすい。
【０００６】
図４に示すように、用紙に対する給紙力を向上させるために、前記用紙分離装置３０’は、通常、弾性素材によって製造されるため、給紙プロセスにおいて用紙のけん引によって弾性変形を生じてしまう。また、用紙が用紙分離装置３０’を通った後に、前記弾性変形が跳ね返るため、次の用紙の前端に反りが生じてしまう。
【０００７】
したがって、用紙ガイド機能を有し、用紙の反りによる損傷を避けられる用紙ピックアップ装置が求められている。
【考案の概要】
【考案が解決しようとする課題】
【０００８】
本考案は、用紙ガイド機能を有し、用紙の反りによる損傷を避けられるオフセット用紙ピックアップ装置を提供することを目的とする。
【課題を解決するための手段】
【０００９】
上記目的を実現するために、本考案に係るオフセット用紙ピックアップ装置は、給紙経路に設けられるオフセット用紙ピックアップ装置であって、給紙トレイから用紙を給紙する給紙ユニットと、前記給紙ユニットに対向して接触するように設けられる用紙分離ローラと、前記給紙トレイと前記給紙ユニットとの間に設けられ、用紙の通過を規制するストップ位置と用紙を前記給紙経路に通過させる給紙位置との間で移動可能に切り替わるように設けられる用紙ストッパーアームと、摺動構造を介して前記給紙経路の上側に位置する上壁に設けられ、かつ、用紙ガイド部と前記用紙ガイド部の給紙方向における上流寄りの端から延長する持ち上げ部とを含み、前記摺動構造によって、前記給紙ユニットと前記用紙分離ローラとの間に形成される隙間空間に移動可能に設けられる用紙ガイド部材とを含む。また、前記用紙分離ローラから前記用紙ガイド部と前記持ち上げ部との交点までの仮想円の半径は、前記用紙分離ローラの輪径より大きく、給紙待ち用紙と前記用紙ガイド部との垂直距離は、給紙待ち用紙と前記用紙分離ローラとの垂直距離より大きい。
【００１０】
好ましい実施例では、前記持ち上げ部は、前記用紙ストッパーアームの給紙方向における下流側に位置する。
【００１１】
好ましい実施例では、前記用紙ガイド部材は、前記持ち上げ部の給紙方向における上流寄りの端から延長するストップ部を含む。
【００１２】
好ましい実施例では、前記ストップ部は、給紙方向の上流寄りの先端に位置する頂点を含み、前記頂点と給紙待ち用紙との垂直距離は、前記用紙ストッパーアームの底端と給紙待ち用紙との垂直距離より大きい。
【００１３】
好ましい実施例では、前記用紙分離ローラの軸方向から見る場合、前記用紙ガイド部と前記給紙経路とがなす角度は、前記持ち上げ部と前記給紙経路とがなす角度より小さく、前記持ち上げ部と前記給紙経路とがなす角度は、前記ストップ部と前記給紙経路とがなす角度より小さい。
【考案の効果】
【００１４】
本考案によれば、用紙ガイド機能を有し、用紙の反りによる損傷を避けられるオフセット用紙ピックアップ装置を提供できる。
【図面の簡単な説明】
【００１５】
【図１】従来の用紙ピックアップ装置を示す側面図である。
【図２】従来の用紙ピックアップ装置において、用紙の落下による反りを示す模式図である。
【図３】従来の用紙ピックアップ装置において、用紙分離ローラの逆転による反りを示す模式図である。
【図４】従来の用紙ピックアップ装置において、用紙分離ローラの跳ね返るによる反りを示す模式図である。
【図５Ａ】本考案の側面図である。
【図５Ｂ】本考案の用紙ストッパーアームが持ち上がる状態を示す側面図である。
【図６】用紙ガイド部材を示す側面図である。
【図７】用紙ガイド部材及び用紙ストッパーアームを示す斜視図である。
【図８】用紙ガイド部材の斜視図である。
【図９Ａ】本考案の用紙ガイド部材及び用紙分離ローラを示す側面図である。
【図９Ｂ】図９ＡにおけるＡ部分の拡大模式図である。
【考案を実施するための形態】
【００１６】
以下、図面を参照しながら本考案の技術的な内容、構造的な特徴、目的及び効果を詳しく説明する。
【００１７】
まず、図５Ａ及び図５Ｂを参照しながら説明する。本考案に係るオフセット用紙ピックアップ装置１０は、給紙経路１２に設けられ、給紙トレイ１１内に重ねた用紙を前記給紙経路１２に送り、かつ、給紙方向の上流から下流まで順に用紙ストッパーアーム４０、用紙ガイド部材５０、前記給紙経路１２の両側に対向して接触するように設けられる給紙ユニット２０及び用紙分離ローラ３０を備える。本明細書において、「上流」及び「下流」という用語は、明確に定義されていない限り、それぞれ給紙時に用紙が入る側及び用紙が出る側とする。
【００１８】
前記用紙ストッパーアーム４０は、前記給紙経路１２に垂直である方向に沿って移動できるように設けられ、用紙の通過を規制するストップ位置と用紙を前記給紙経路１２に通過させる給紙位置との間で切り替わる。前記用紙ガイド部材５０は、前記給紙経路１２に移動可能に設けられ、さらに用紙をガイドして前記給紙ユニット２０とスムーズに接触させるために用いられる。
【００１９】
次に、図５Ａ、図５Ｂ、図６及び図８を参照しながら説明する。前記用紙ガイド部材５０は、摺動構造５１を介して前記給紙経路１２の上側に位置する上壁１３に設けられる。前記上壁１３には、収容空間１４及び接続孔１５が設けられる。前記摺動構造５１は、少なくとも１つの前記用紙ガイド部材５０と接続する接続桿５１１と、前記接続桿５１１の末端に設けられ、前記用紙ガイド部材５０が前記接続孔１５から離れることを防止する固定ピン部５１２と、前記用紙ガイド部材５０と前記上壁１３との間に設けられ、用紙ガイド部材５０に垂直力を加える弾性部５１３とを含む。ここで、前記接続桿５１１は、前記接続孔１５内に設置され、前記用紙ガイド部材５０を前記給紙経路１２に垂直である方向に摺動させるために用いられる。また、前記弾性部５１３と前記用紙ガイド部材５０の頂部との当接により、前記用紙ガイド部材５０と給紙待ち用紙との接触状態を維持する。
【００２０】
前記用紙ガイド部材５０は、用紙ガイド部５２と、前記用紙ガイド部５２の給紙方向における上流寄りの端から延長する持ち上げ部５３と、前記持ち上げ部５３の給紙方向における上流寄りの端から延長するストップ部５４と、前記ストップ部５４の給紙方向における上流寄りの先端に位置する頂点５５と含む。前記用紙ガイド部５２と前記持ち上げ部５３との方向転換箇所（過渡部において曲率が最大となる点）で交点Ａを、前記持ち上げ部５３と前記ストップ部５４との方向転換箇所で交点Ｂを持つ。
【００２１】
さらに、図６、図９Ａ及び図９Ｂを参照しながら説明する。前記用紙ガイド部材５０は、前記給紙ユニット２０と用紙分離ローラ３０との間に形成される隙間空間２１に上下移動自在に設けられる。これにより、前記用紙ガイド部５２と給紙経路１２との間の角度が小さい角度θ１であるため、用紙をガイドして前記給紙ユニット２０とスムーズに接触させることができる。同時に、用紙ガイド効果を確保するために、給紙待ち用紙と前記用紙分離ローラ３０との接点をＥとし、かつ前記交点Ａを前記接点Ｅの上流に設ける。給紙待ち用紙と前記用紙ガイド部５２との垂直距離Ｄ１は、給紙待ち用紙と前記用紙分離ローラ３０との垂直距離Ｄ２より大きい。
【００２２】
そして、前記持ち上げ部５３は、前記用紙ストッパーアーム４０の給紙方向における下流側に位置する。前記用紙分離ローラ３０から前記交点Ａまでの仮想円の半径ＤＦ１は、前記用紙分離ローラ３０の輪径ＤＳより大きい。また、前記持ち上げ部５３と前記給紙経路１２との間に角度θ２がある。前記角度θ２が前記角度θ１より大きいため、給紙待ち用紙が前記用紙ストッパーアーム４０を通って前記持ち上げ部５３と接触した場合、前記持ち上げ部５３に対してより多くの垂直力を生じ、さらに前記用紙ガイド部材５０を前記給紙経路１２から離れる方向へ持ち上げる力を生成する。
【００２３】
最後に、図６及び図７を参照しながら説明する。図に示すように、給紙プロセスにおいて、前記ストップ部５４の位置は、前記用紙ストッパーアーム４０の位置とほぼ一致する。また、給紙待ち用紙と前記用紙ストッパーアーム４０との接触点Ｃは、前記交点Ｂの上流に設けられる。同時に、前記ストップ部５４と前記給紙経路１２とがなす角度θ３は、前記持ち上げ部５３と前記給紙経路１２とがなす角度θ２より大きい。なお、前記頂点５５と給待用紙との垂直距離は、前記用紙ストッパーアーム４０の底端と給紙待ち用紙との垂直距離より大きい。上記の構成により、給紙プロセスにおいて、給紙待ち用紙と前記用紙分離ローラ３０との早すぎる接触が避けられ、且つ前記用紙ガイド部材５０と前記用紙ストッパーアーム４０との間に生じる隙間により給紙待ち用紙が順に前記持ち上げ部５３、前記用紙ガイド部５２に接触できないことが避けられる。
【符号の説明】
【００２４】
１０  オフセット用紙ピックアップ装置
１１  給紙トレイ
１２  給紙経路
１３  上壁
１４  収容空間
１５  接続孔
２０  給紙ユニット
２０’  給紙装置
２１  隙間空間
３０  用紙分離ローラ
３０’  用紙分離装置
３１  輪軸
４０  用紙ストッパーアーム
４０’  用紙ストッパー装置
５０  用紙ガイド部材
５１  摺動構造
５１１  接続桿
５１２  固定ピン部
５１３  弾性部
５２  用紙ガイド部
５３  持ち上げ部
５４  ストップ部
５５  頂点
【図１】
0003225460.tif 000003
【図２】
0003225460.tif 000004
【図３】
0003225460.tif 000005
【図４】
0003225460.tif 000006
【図５Ａ】
0003225460.tif 000007
【図５Ｂ】
0003225460.tif 000008
【図６】
0003225460.tif 000009
【図７】
0003225460.tif 000010
【図８】
0003225460.tif 000011
【図９Ａ】
0003225460.tif 000012
【図９Ｂ】
0003225460.tif 000013